(57)【特許請求の範囲】
【請求項１】
機体に原動機（１１）で駆動される走行推進体（１４）と昇降作動する植付具（２８）を装備した植付装置（１９）を設け、原動機（１１）から植付装置（１９）への伝動経路に植付装置（１９）への伝動を切る植付クラッチ（１１２）を設け、該植付クラッチ（１１２）を植付装置（１９）の植付具（２８）が圃場から上方に離れた定位置で停止する定位置停止クラッチとした移植機において、該植付クラッチ（１１２）を原動機（１１）からの動力にて駆動される駆動体（１１３）と該駆動体（１１３）にバネ（１１７）の付勢力にて係合して動力を植付装置（１９）へ伝動する従動体（１１４）にて構成し、該従動体（１１４）が駆動力にて回転している時に接当体（１１６ａ）が従動体（１１４）側に突出して該接当体（１１６ａ）が接当することにより、従動体（１１４）をバネ（１１７）の付勢力に抗して駆動体（１１３）から離れる方向に移動させる傾斜面（１１５ａ）を従動体（１１４）に設けると共に、従動体（１１４）が駆動体（１１３）から離れてクラッチが切れた後に、該傾斜面（１１５ａ）の終端部に設けられた停止用接当面（１１５ｂ）に接当体（１１６ａ）が接当して従動体（１１４）の回転を停止して植付具（２８）を定位置で停止する構成とし、接当体（１１６ａ）が従動体（１１４）側から退避して停止用接当面（１１５ｂ）から離れる退避状態になると、駆動体（１１３）に従動体（１１４）がバネ（１１７）の付勢力で係合して動力を植付装置（１９）に伝動する構成とし、凸部（１１５ｃ）を、傾斜面（１１５ａ）及び停止用接当面（１１５ｂ）よりも従動体（１１４）の外周側に突出させて該従動体（１１４）に設け、接当体（１１６ａ）の前記退避状態では、少なくとも植付具（２８）が圃場に突入して移植物を移植する位相で接当体（１１６ａ）が凸部（１１５ｃ）に接触することにより、従動体（１１４）が駆動体（１１３）から離れることを阻止する構成としたことを特徴とする移植機。
【請求項２】
停止用接当面（１１５ｂ）部又はその近傍位置から植付具（２８）が圃場に突入して圃場から出る位置に対応する部位に亘って凸部（１１５ｃ）を設けたことを特徴とする請求項１に記載の移植機。
【請求項３】
凸部（１１５ｃ）の始端を停止用接当面（１１５ｂ）部に設け、該凸部（１１５ｃ）の始端で従動体（１１４）がバネ（１１７）により付勢されて移動する方向の後側角部に接当体案内斜面（１１５ｄ）を設けたことを特徴とする請求項１又は請求項２に記載の移植機。
【請求項４】
植付具（２８）がその作動軌跡（１７）の最上昇位置を通り過ぎた位置で従動体（１１４）と駆動体（１１３）の係合が外れて植付クラッチ（１１２）が切れる構成としたことを特徴とする請求項１から請求項３の何れか１項に記載の移植機。
【請求項５】
原動機（１１）から植付装置（１９）への伝動経路に植付伝動ケース（２６）を設け、該植付伝動ケース（２６）内の伝動機構は、第一軸（９５）から第一無端体（９８）を介して第二軸（１００）へ伝動し、第二軸（１００）から互いに噛み合う駆動側ギヤ（１０１ａ・１０１ｂ・１０１ｃ）及び従動側ギヤ（１０２）を介して第三軸（１０３）へ伝動し、第三軸（１０３）から第二無端体（１１０）を介して第四軸（６２）へ伝動する構成とし、駆動側ギヤ（１０１ａ・１０１ｂ・１０１ｃ）を歯数の異なる複数のギヤで構成し、該複数の駆動側ギヤ（１０１ａ・１０１ｂ・１０１ｃ）のうち伝動する駆動側ギヤ（１０１ａ・１０１ｂ・１０１ｃ）を選択する選択機構（１０５）を第三軸（１０３）の機体後側に配置し、植付装置（１９）への伝動を入切する植付クラッチ（１１２）を第四軸（６２）上に設け、植付クラッチ（１１２）を操作する植付クラッチ操作機構（１１６）を、第四軸（６２）の機体後側に配置したことを特徴とする請求項１から請求項４の何れか１項に記載の移植機。
【請求項６】
植付装置（１９）の植付具（２８）へ移植物を一個ずつ供給する供給部（３１）を設け、第四軸（６２）の植付クラッチ（１１２）及び第二無端体（１１０）の左右一方側から植付装置（１９）へ伝動し、第四軸（６２）の植付クラッチ（１１２）及び第二無端体（１１０）の左右他方側から供給部（３１）へ伝動する構成としたことを特徴とする請求項５に記載の移植機。
【発明の詳細な説明】
【技術分野】
【０００１】
本発明は、苗や種芋等の移植機に関するものであり、農業機械の技術分野に属する。
【背景技術】
【０００２】
従来、移植機は、原動機から主伝動ケースを介して走行推進体である後輪へ伝動するとともに、該主伝動ケースから植付伝動ケースを介して植付装置へ伝動する構成としている。そして、植付装置は、植付具と該植付具を昇降させる昇降リンク機構で構成し、所定の軌跡で昇降する植付具の先端部は最下端に来た時に圃場に所定深さまで突入して苗を圃場に植え付ける。
【０００３】
そして、植付伝動ケース内に設けた植付装置への伝動を入切する植付クラッチは、伝動を切った時に植付具が圃場から上方に離れた所定位置で停止する定位置停止クラッチとなっている。即ち、植付クラッチは、原動機からの動力にて駆動される駆動体と該駆動体にバネの付勢力にて係合して動力を植付装置へ伝動する従動体にて構成されている。そして、従動体には、動力にて回転している従動体に接当体が作用することによって、従動体をバネの付勢力に抗して駆動体から離れる方向に移動させる傾斜面が設けられていると共に、従動体が駆動体から離れてクラッチが切れた後に、該傾斜面の終端部に設けられた停止用接当面に接当体が接当して従動体の回転を停止し、植付具を定位置で停止する構成となっている。（特許文献１参照）。
【先行技術文献】
【特許文献】
【０００４】
【特許文献１】特開２００１−３１４１０５号公報
【発明の概要】
【発明が解決しようとする課題】
【０００５】
従来の定位置停止クラッチである植付クラッチは、植付具を定位置で停止することができて移植作業性が良い。然しながら、バネの付勢力にて従動体を駆動体に係合させて動力を植付装置へ伝動する構成である為に、植付具が圃場に所定深さまで突入して苗を植え付ける時の駆動負荷により、従動体がバネの付勢力に抗して駆動体から離れる方向に移動してしまって、植付クラッチが切れた状態となってしまい植え付けが行えなくなるような事態が発生する。
【０００６】
本発明は、移植作業時に不用意に植付クラッチが切れてしまうことを防止し、適正な移植作業が行える移植機を提供することを課題とする。
【課題を解決するための手段】
【０００７】
上記課題を解決するために、次のような技術的手段を講じた。
すなわち、請求項１に係る発明は、機体に原動機（１１）で駆動される走行推進体（１４）と昇降作動する植付具（２８）を装備した植付装置（１９）を設け、原動機（１１）から植付装置（１９）への伝動経路に植付装置（１９）への伝動を切る植付クラッチ（１１２）を設け、該植付クラッチ（１１２）を植付装置（１９）の植付具（２８）が圃場から上方に離れた定位置で停止する定位置停止クラッチとした移植機において、該植付クラッチ（１１２）を原動機（１１）からの動力にて駆動される駆動体（１１３）と該駆動体（１１３）にバネ（１１７）の付勢力にて係合して動力を植付装置（１９）へ伝動する従動体（１１４）にて構成し、該従動体（１１４）が駆動力にて回転している時に接当体（１１６ａ）が従動体（１１４）側に突出して該接当体（１１６ａ）が接当することにより、従動体（１１４）をバネ（１１７）の付勢力に抗して駆動体（１１３）から離れる方向に移動させる傾斜面（１１５ａ）を従動体（１１４）に設けると共に、従動体（１１４）が駆動体（１１３）から離れてクラッチが切れた後に、該傾斜面（１１５ａ）の終端部に設けられた停止用接当面（１１５ｂ）に接当体（１１６ａ）が接当して従動体（１１４）の回転を停止して植付具（２８）を定位置で停止する構成とし、接当体（１１６ａ）が従動体（１１４）側から退避して停止用接当面（１１５ｂ）から離れる退避状態になると、駆動体（１１３）に従動体（１１４）がバネ（１１７）の付勢力で係合して動力を植付装置（１９）に伝動する構成とし、凸部（１１５ｃ）を、傾斜面（１１５ａ）及び停止用接当面（１１５ｂ）よりも従動体（１１４）の外周側に突出させて該従動体（１１４）に設け、接当体（１１６ａ）の前記退避状態では、少なくとも植付具（２８）が圃場に突入して移植物を移植する位相で接当体（１１６ａ）が凸部（１１５ｃ）に接触することにより、従動体（１１４）が駆動体（１１３）から離れることを阻止する構成としたことを特徴とする移植機とした。
【０００８】
従って、請求項１記載の発明は、機体は原動機１１で駆動されて走行推進体１４にて進行しながら植付装置１９の昇降作動する植付具２８にて圃場に移植物が移植される。そして、原動機１１から植付装置１９への伝動経路に植付装置１９への伝動を切る植付クラッチ１１２を設け、該植付クラッチ１１２を原動機１１からの動力にて駆動される駆動体１１３と該駆動体１１３にバネ１１７の付勢力にて係合して動力を植付装置１９へ伝動する従動体１１４にて構成し、該従動体１１４が駆動力にて回転している時に接当体１１６ａが接当することにより、従動体１１４をバネ１１７の付勢力に抗して駆動体１１３から離れる方向に移動させる傾斜面１１５ａを従動体１１４に設けると共に、従動体１１４が駆動体１１３から離れてクラッチが切れた後に、該傾斜面１１５ａの終端部に設けられた停止用接当面１１５ｂに接当体１１６ａが接当して従動体１１４の回転を停止して植付具２８を定位置で停止する構成としたので、植付クラッチ１１２の切り操作により、植付装置１９の植付具２８が圃場から上方に離れた定位置で停止させることができ、機体旋回操作が容易であると共に移植作業を行っていない機体旋回時や路上走行時に植付具２８が他物に接当して破損することを防止することができる。
【０００９】
また、駆動体１１３に従動体１１４が係合して動力を植付装置１９に伝動して少なくとも植付具２８が圃場に突入して移植物を移植する際に、従動体１１４が駆動体１１３から離れることを前記退避状態の接当体１１６ａに接当して阻止する凸部１１５ｃを従動体１１４に設けたので、植付具２８が圃場に突入して移植物を植え付ける時の駆動負荷により、従動体１１４がバネ１１７の付勢力に抗して駆動体１１３から離れる方向に移動することを防止し、適正な移植作業が行える。
【００１０】
請求項２に係る発明は、停止用接当面（１１５ｂ）部又はその近傍位置から植付具（２８）が圃場に突入して圃場から出る位置に対応する部位に亘って凸部（１１５ｃ）を設けたことを特徴とする請求項１に記載の移植機とした。
【００１１】
従って、請求項２記載の発明は、請求項１記載の発明の作用に加えて、従動体１１４が駆動体１１３から離れることを接当体１１６ａに接当して阻止する凸部１１５ｃを傾斜面１１５ａの終端部に設けられた停止用接当面１１５ｂ部又はその近傍位置から植付具２８が圃場に突入して圃場から出る位置に対応する部入に亘って設けたので、植付クラッチ１１２を入り操作して接当体１１６ａが停止用接当面１１５ｂから退避してバネ１１７の付勢力にて従動体１１４が駆動体１１３に係合して植付装置１９の植付具２８が作動し始めてから圃場に移植物を移植し終えるまでの間、従動体１１４がバネ１１７の付勢力に抗して駆動体１１３から離れる方向に移動することを防止するから、更に、適正な移植作業が行える。
【００１２】
請求項３に係る発明は、凸部（１１５ｃ）の始端を停止用接当面（１１５ｂ）部に設け、該凸部（１１５ｃ）の始端で従動体（１１４）がバネ（１１７）により付勢されて移動する方向の後側角部に接当体案内斜面（１１５ｄ）を設けたことを特徴とする請求項１又は請求項２に記載の移植機とした。
【００１３】
従って、請求項３記載の発明は、請求項１又は請求項２記載の発明の作用に加えて、植付クラッチ１１２の入り操作によって接当体１１６ａが傾斜面１１５ａから離れる方向に移動して、接当体１１６ａが凸部１１５ｃの始端で従動体１１４がバネ１１７により付勢されて移動する方向の後側角部に設けた接当体案内斜面１１５ｄに移動した時、接当体１１６ａが接当体案内斜面１１５ｄを滑るように移動して従動体１１４がバネ１１７により付勢されて従動体１１４が駆動体１１３に強制的に噛み合うように作用し、植付クラッチ１１２は適確に且つ迅速に伝動入りの状態となる。従って、接当体１１６ａが停止用接当面１１５ｂから離れて植付具２８が可動状態になるタイミングと植付クラッチ１１２の伝動入りによる駆動タイミングとが殆ど同じになり、適正に植付具２８は駆動作動される。
【００１４】
請求項４に係る発明は、植付具（２８）がその作動軌跡（１７）の最上昇位置を通り過ぎた位置で従動体（１１４）と駆動体（１１３）の係合が外れて植付クラッチ（１１２）が切れる構成としたことを特徴とする請求項１から請求項３の何れか１項に記載の移植機とした。
【００１５】
従って、請求項４に記載の発明は、請求項１から請求項３の何れか１項に記載の発明の作用に加えて、植付具２８がその作動軌跡１７の最上昇位置を通過した位置で従動体１１４と駆動体１１３の係合が外れて植付クラッチ１１２が切れる構成としたので、植付クラッチ１１２は、最上昇位置を通過した植付具２８が下動しようとする慣性力により確実に切れる。そして、植付クラッチ１１２が確実に切れた後、植付具２８の下動しようとする慣性力は、接当体１１６ａが接当している傾斜面１１５ａと従動体１１４を付勢しているバネ１１７の付勢力により徐々に小さくなっていく為に、接当体１１６ａが停止用接当面１１５ｂに接当して植付具２８を定位置で適正に停止させることができる。
【００１６】
請求項５に係る発明は、原動機（１１）から植付装置（１９）への伝動経路に植付伝動ケース（２６）を設け、該植付伝動ケース（２６）内の伝動機構は、第一軸（９５）から第一無端体（９８）を介して第二軸（１００）へ伝動し、第二軸（１００）から互いに噛み合う駆動側ギヤ（１０１ａ・１０１ｂ・１０１ｃ）及び従動側ギヤ（１０２）を介して第三軸（１０３）へ伝動し、第三軸（１０３）から第二無端体（１１０）を介して第四軸（６２）へ伝動する構成とし、駆動側ギヤ（１０１ａ・１０１ｂ・１０１ｃ）を歯数の異なる複数のギヤで構成し、該複数の駆動側ギヤ（１０１ａ・１０１ｂ・１０１ｃ）のうち伝動する駆動側ギヤ（１０１ａ・１０１ｂ・１０１ｃ）を選択する選択機構（１０５）を第三軸（１０３）の機体後側に配置し、植付装置（１９）への伝動を入切する植付クラッチ（１１２）を第四軸（６２）上に設け、植付クラッチ（１１２）を操作する植付クラッチ操作機構（１１６）を、第四軸（６２）の機体後側に配置したことを特徴とする請求項１から請求項４の何れか１項に記載の移植機とした。
【００１７】
従って、請求項５に記載の発明は、請求項１から請求項４の何れか１項に記載の発明の作用に加えて、原動機１１から植付装置１９への伝動経路に設けた植付伝動ケース２６内の伝動機構及び操作機構を簡潔で小型の構成とすることができる。また、選択機構１０５及び植付クラッチ操作機構１１６のメンテナンスも容易に行える。
【００１８】
請求項６に係る発明は、植付装置（１９）の植付具（２８）へ移植物を一個ずつ供給する供給部（３１）を設け、第四軸（６２）の植付クラッチ（１１２）及び第二無端体（１１０）の左右一方側から植付装置（１９）へ伝動し、第四軸（６２）の植付クラッチ（１１２）及び第二無端体（１１０）の左右他方側から供給部（３１）へ伝動する構成としたことを特徴とする請求項５に記載の移植機とした。
【００１９】
従って、請求項６記載の発明は、請求項５記載の発明の作用に加えて、植付装置１９と供給部３１への伝動機構を、第四軸６２上で植付クラッチ１１２及び第二無端体１１０の左右に振り分けて配置でき、伝動機構を合理的且つコンパクトに配置することができ、伝動機構の簡素化及び機体のコンパクト化を図ることができる。
【発明の効果】
【００２０】
よって、この発明の移植機は、移植作業時に不用意に植付クラッチ１１２が切れてしまうことを防止し、適正な移植作業が行える移植機を提供することができ、発明の課題を適切に解消することができる。
【図面の簡単な説明】
【００２１】
【図１】移植機を示す側面図である。
【図２】移植機を示す平面図である。
【図３】供給部を示す底面図である。
【図４】植付伝動ケースを示す側面図である。
【図５】植付装置駆動ケースを示す側面図である。
【図６】植付伝動ケースを示す断面展開平面図である。
【図７】植付クラッチの拡大平面図である。
【図８】植付クラッチの作用説明用拡大側面図である。
【図９】植付クラッチの作用説明用拡大側面図である。
【図１０】植付装置を示す斜視図である。
【図１１】植付具が軌跡の上死点付近に位置するときの植付装置を示す側面図である。
【図１２】植付具が下降する行程の途中に位置するときの植付装置を示す側面図である。
【図１３】植付具が下死点に位置するときの植付装置を示す側面図である。
【図１４】植付具が上昇する行程の途中に位置するときの植付装置を示す側面図である。
【図１５】植付装置を示す平面図である。
【図１６】植付装置を示す背面図である。
【図１７】植付具の上下動速度、前後動速度および絶対速度を示すグラフである。
【図１８】植付株間ごとの植付具の静軌跡および動軌跡を示すグラフである。
【図１９】（ａ）ガイドローラ作動部の作用説明用拡大平面図、（ｂ）ガイドローラ作動部の作用説明用拡大側面図である。
【図２０】他の例を示す植付クラッチの拡大平面図である。
【図２１】他の例を示す植付クラッチの作用説明用要部拡大平面図である。
【図２２】他の例を示す株間変速及び副変速操作の作用を説明する植付伝動ケースの要部断面展開平面図である。
【発明を実施するための形態】
【００２２】
この発明の実施の一形態を、以下に説明する。尚、以下の実施の形態は、あくまで実施の一形態であって、特許請求の範囲を拘束するものではない。
移植機の一例としてタバコの苗を移植する移植機について説明する。この移植機１０は、前部にエンジンである原動機１１及び主伝動ケース１２と、走行車輪としての左右一対の前輪１３及び走行推進体としての左右一対の後輪１４と、後部に植付装置１９、供給部３１、鎮圧輪１５および操縦ハンドル１６を備えて構成されている。
【００２３】
移植機１０は、走行機体が圃場内の畝Ｕをまたぐように、左右前輪１３及び左右後輪１４が畝間を走行し、畝Ｕの上面の左右幅方向における中央位置に植付装置１９により苗を植付けていく構成となっている。
【００２４】
また、主伝動ケース１２の左右端には該主伝動ケース１２に対して上下に回動可能な延長ケース４０を左右それぞれ設け、左右の延長ケース４０のそれぞれの端部に走行伝動ケース２０を取り付けている。したがって、原動機１１から入力される主伝動ケース１２内の動力を走行伝動ケース２０内に伝動する構成となっている。
【００２５】
左右走行伝動ケース２０の回動先端部には、各々左右後輪１４をそれぞれ取り付け、この左右後輪１４の駆動により機体が走行するようになっている。したがって、主伝動ケース１２、左右延長ケース４０及び左右走行伝動ケース２０は、駆動走行車輪としての左右後輪１４に駆動力を伝動する伝動装置となっている。
【００２６】
一方、エンジン載置台９１の下部には左右方向に延びる前輪支持フレーム４１を前後方向のローリング軸１８回りに回動可能に設け、この前輪支持フレーム４１の左右両端部に左右前輪１３を取り付けた構成としている。
【００２７】
また、主伝動ケース１２の後端には左右方向に延びる後フレーム２１を固着して設け、該後フレーム２１の後端面の右端部には、機体の右寄りの位置で前後方向に延びる主フレーム２２を設けている。該主フレーム２２の後端部には操縦ハンドル１６を設け、該操縦ハンドル１６が主フレーム２２及び後フレーム２１を介して主伝動ケース１２に支持された構成となっている。後フレーム２１の左右一方寄り（右寄り）の位置の上面には、植付伝動ケース２６の前下端部を載せて該植付伝動ケース２６を固着して設けている。
【００２８】
また、主伝動ケース１２の後側で且つ左右方向の中央には、油圧昇降シリンダ２３を設けている。この油圧昇降シリンダ２３は、主伝動ケース１２に取り付けられた油圧切替バルブ部２４に固着して設けられ、主伝動ケース１２に取り付けられた油圧ポンプ９２からの油路を油圧切替バルブ部２４で切り替えることにより作動する。
【００２９】
また、油圧昇降シリンダ２３のシリンダロッドの後端には左右に延びる横杆４３を設け、この横杆４３の左右端部にそれぞれロッドとなる左側の後輪昇降ロッド４４及び右側の後輪昇降ロッド４５を連結し、左側の後輪昇降ロッド４４及び右側の後輪昇降ロッド４５の他端をそれぞれの延長ケース４０に取り付けられた上側ア−ム４０ａに枢着して、横杆４３と延長ケース４０とが連結された構成となっている。したがって、油圧昇降シリンダ２３の伸縮により横杆４３、左側の後輪昇降ロッド４４及び右側の後輪昇降ロッド４５を介して主伝動ケース１２の左右の出力軸回りに走行伝動ケース２０を回動し、該走行伝動ケース２０の回動により後輪１４が上下して走行機体が昇降する構成となっている。なお、油圧昇降シリンダ２３のシリンダロッド、横杆４３、左側の後輪昇降ロッド４４及び右側の後輪昇降ロッド４５は、シリンダロッドの進出位置によっては、機体側面視で後述する昇降リンク機構２９の下方に位置する構成となっており、スペースを有効利用して機体のコンパクト化を図っている。
【００３０】
また、機体中央部の下方位置で植付装置１９の植付具２８が苗を畝Ｕに植付ける位置の直前の位置には、周知の畝Ｕ上面に接当して畝Ｕ上面の高さを検出する植付け深さ制御用センサーＳが設けられており、該植付け深さ制御用センサーＳの畝Ｕ検出により油圧切替バルブ部２４に備えられた昇降制御用切替バルブを介して油圧昇降シリンダ２３を作動させて左右後輪１４を昇降制御して、走行機体を畝Ｕに対する所定の高さに制御して植付具２８が苗を畝Ｕに植付ける深さが一定になるようにしている。
【００３１】
また、左側の後輪昇降ロッド４４が伸縮するように該左側の後輪昇降ロッド４４の中途部に油圧ポンプ９２からの油圧により作動する左右傾斜用油圧シリンダ２５を設けており、該左右傾斜用油圧シリンダ２５の伸縮により右側の後輪１４の上下位置に対して左側の後輪１４を上下させて、畝Ｕの谷部の凹凸に関係なく走行機体を所望の左右傾斜姿勢に制御する構成となっている。なお、主伝動ケース１２の右側には振り子式の左右傾斜センサ４２が設けられて、この左右傾斜センサ４２の検出により油圧切替バルブ部２４に備えられた左右傾斜用切替バルブを介して左右傾斜用油圧シリンダ２５を作動させ、走行機体を所望の左右傾斜姿勢に制御する構成となっている。
【００３２】
植付装置１９は、移植対象物である苗を１個ずつ圃場の畝に植付けるべく、主伝動ケース１２内からの動力が主伝動ケース１２の後側に設けた植付伝動ケース２６と、その植付伝動ケース２６に取り付けられた植付装置駆動ケース２７を介して伝達され、作動するようになっている。
【００３３】
植付装置１９は、先端が尖ったカップ状の植付具２８と、該植付具２８を昇降させるべく作動する昇降リンク機構２９で構成される。植付具２８の先端（下端）は、植付具２８の昇降動作によって、前側で下降し後側で上昇するとともに、前後方向の幅が上部よりも下部の方が大きいループ状の軌跡１７を描いて繰り返し作動する。
【００３４】
供給部３１には、植付伝動ケース２６からの動力により作動し、作業者が手で苗を一個ずつ供給するための供給カップ３３が、供給回転台３２上に円形のループ状で所定間隔毎に配置されている。そして、各々の供給カップ３３の底部には、上下方向に可動する開閉蓋３４を設けている。また、供給カップ３３の下方には、供給回転台３２の矢印Ａ方向への回転により、供給カップ３３が植付具２８の上方の位置である所定位置Ｐに来たときにのみ開閉蓋３４が開くべく、環状の一部を切り欠いた略Ｃ字型の供給カップ開閉ガイド３５が、走行機体側に固定されている。尚、供給カップ開閉ガイド３５は、前記所定位置Ｐ以外の位置で、開閉蓋３４を下側から接触して支えて開閉蓋３４が開くのを規制する。
【００３５】
機体の走行と共に歩行する作業者は、載置台３０にある苗を取って機体の走行にあわせて矢印Ａ方向に回転している供給カップ３３にそれぞれ入れていく。
供給カップ３３の開閉蓋３４が前記所定位置Ｐで開くと、供給カップ３３内の苗が下方の植付具２８に供給される。植付具２８は、作動の軌跡１７の下死点に来たときに土中に所定深さまで突入するとともに嘴の如く左右に開いて、内部に保持されていた苗を落下して植え付ける。
【００３６】
主伝動ケース１２の後面から後側へ突出する動力取出軸を突出し、該動力取出軸を介して植付伝動ケース２６内に動力が入力される。植付伝動ケース２６内の伝動について説明すると、前記動力取出軸と同軸上で一体回転する前後方向の入力軸９３を設け、該入力軸９３から一対のベベルギヤ９４ａ・９４ｂを介して左右方向の第一軸９５へ伝動される。尚、植付伝動ケース２６の直前で入力軸９３上には、所定以上の負荷トルクで動力を断つ安全クラッチ９６を設けており、メカロック等により植付装置１９に過大な作動負荷が生じたときに安全クラッチ９６により動力を断って植付装置１９及び植付伝動ケース２６を含む植付伝動機構の破損を防止する。第一軸９５に該第一軸９５と一体回転する第一駆動スプロケット９７を設け、第一駆動スプロケット９７から伝動チェーンである第一無端体９８を介して第一従動スプロケット９９へ伝動し、該第一従動スプロケット９９と一体回転する左右方向の第二軸１００へ伝動する。第二軸１００上で且つ第一従動スプロケット９９の左右一方側（左側）には、３個の駆動側ギヤ１０１ａ・１０１ｂ・１０１ｃを左右に配列し、該３個の駆動側ギヤ１０１ａ・１０１ｂ・１０１ｃが第二軸１００と一体回転する。なお、前記複数の駆動側ギヤ１０１ａ・１０１ｂ・１０１ｃは、互いのピッチ円直径を異ならせており、互いに異なる歯数に設定されている。
【００３７】
複数の駆動側ギヤ１０１ａ・１０１ｂ・１０１ｃのうちの何れかと噛み合う単一の従動側ギヤ１０２を左右方向の第三軸１０３上に設けており、該従動側ギヤ１０２を第三軸１０３上で左右にスライドさせることにより、従動側ギヤ１０２が３個の駆動側ギヤ１０１ａ・１０１ｂ・１０１ｃのうちの何れかと噛み合うように切り替えられる構成となっている。尚、第三軸１０３は、その軸表面に形成したスプライン１０４を介して従動側ギヤ１０２と一体回転する構成となっている。
【００３８】
従動側ギヤ１０２のスライドは、従動側ギヤ１０２に連繋するスライドシフタである選択機構１０５の左右スライドにより行われる。選択機構１０５は、従動側ギヤ１０２に連係する連係部１０６と、該連係部１０６と一体で左右方向に延びるスライド軸１０７を備え、スライド軸１０７の端部が植付伝動ケース２６の左右他方側（右側）の側面から突出しており、スライド軸１０７の端部に切替操作グリップ１０８を固着している。従って、作業者が切替操作グリップ１０８を左右に操作することにより、選択機構１０５が左右に移動して連係部１０６の左右位置が切り替えられ、第三軸１０３への伝動比が切り替えられる。この選択機構１０５による伝動比の切替構成は、走行速度に対する植付装置１９の作動速度を変更して植付株間を変更する株間変速装置となる。スライド軸１０７は、第三軸１０３の上方で第三軸１０３の前端よりも後側に配置され、連係部１０６を含めた選択機構１０５は、第三軸１０３の上側で第三軸１０３よりも後側に配置されている。
【００３９】
第三軸１０３の左右一方側（左側）の端部には、第三軸１０３と一体回転する第二駆動スプロケット１０９を設け、第二の駆動スプロケット１０９から伝動チェーンである第二無端体１１０を介して第二従動スプロケット１１１へ伝動する。該第二の従動スプロケット１１１は、左右方向の第四軸となる揺動カム駆動軸６２上で遊転する構成であり、揺動カム駆動軸６２上に設けた植付クラッチ１１２の駆動体としての駆動側爪体１１３と一体で回転する。植付クラッチ１１２は、伝動を断つときには所定の回転位相（定位置）で停止する定位置停止クラッチであり、植付装置１９の植付具２８を作動する軌跡１７上の上死点を越えて若干下降した位置で停止させる。植付クラッチ１１２は、第二従動スプロケット１１１の左右他方側（右側）に配置され、駆動側爪体１１３と噛み合う従動体としての従動側爪体１１４が揺動カム駆動軸６２と一体回転し且つ軸方向に左右移動する構成となっており、揺動カム駆動軸６２への伝動の入切をする。なお、駆動側爪体１１３と従動側爪体１１４には、互いに噛み合う４つの係合爪１１３ａと４つの１１４ａが各々に設けられている。
【００４０】
即ち、従動側爪体１１４は、揺動カム駆動軸６２に軸方向に左右移動自在に装着されている。そして、従動側爪体１１４の中央部に設けた軸孔１１４’には、軸方向に貫通したキー溝１１４ｂを設け、該キー溝１１４ｂが揺動カム駆動軸６２に設けたキー６２ａに嵌合する構成となっている。従って、従動側爪体１１４は、揺動カム駆動軸６２と一体回転すると共に、揺動カム駆動軸６２上を軸方向に左右移動自在に装着された構成となっている。
【００４１】
そして、植付クラッチ１１２の従動側爪体１１４の外周面には、従動側爪体１１４を駆動側爪体１１３から離して植付クラッチ１１２を切り、植付装置１９の植付具２８を上記の定位置で停止させるための操作カム１１５を形成している。該操作カム１１５は、後記の接当体としての操作ピン１１６ａが接当して揺動カム駆動軸６２が矢印イ方向に回転することにより、従動側爪体１１４が駆動側爪体１１３から離れる方向に移動し、両者の係合を断ち植付クラッチ１１２を切る傾斜面１１５ａと、従動側爪体１１４が駆動側爪体１１３から離れて植付クラッチ１１２が切れた後に操作ピン１１６ａが接当して植付装置１９の植付具２８を上記の定位置で停止させる接当面１１５ｂとによって構成されている。
【００４２】
そして、上記の従動側爪体１１４が駆動側爪体１１３から離れて植付クラッチ１１２が切れるタイミングは、昇降リンク機構２９によって植付具２８がその軌跡１７の最上昇位置を少し過ぎた位置に来た時にしている。従って、植付クラッチ１１２は、最上昇位置を少し過ぎた植付具２８の下動しようとする慣性力により確実に切れる。そして、植付クラッチ１１２が確実に切れた後、植付具２８の下動しようとする慣性力は、操作ピン１１６ａが接当している傾斜面１１５ａと従動側爪体１１４を付勢している下記の圧縮バネである植付クラッチスプリング１１７の付勢力により徐々に小さくなって、操作ピン１１６ａが接当面１１５ｂに接当して植付具２８を定位置で適正に停止させる。
【００４３】
また、上記の操作カム１１５に対向する操作ピン１１６ａを先端に設けた植付クラッチ操作機構１１６が、操作カム１１５側（前側）に突出して操作ピン１１６ａが操作カム１１５に接触することにより上記のように植付クラッチ１１２の伝動を断つ構成となっている。逆に、植付クラッチ操作機構１１６が操作カム１１５とは反対側（後側）に戻って操作カム１１５から離れると、従動側爪体１１４を駆動側爪体１１３側（左側）へ押し付ける植付クラッチスプリング１１７により、駆動側爪体１１３と従動側爪体１１４が噛み合って植付クラッチ１１２が伝動状態となる。
【００４４】
この時、従動側爪体１１４には、操作カム１１５終端部の接当面１１５ｂを設けた部位に操作カム１１５部位よりも外周方向に突出した円弧状の凸部１１５ｃを設けている。そして、円弧状の凸部１１５ｃは、その接当面１１５ｂの従動側爪体１１４が植付クラッチスプリング１１７により付勢されて移動する方向（植付クラッチ１１２が入りになる方向）の後側角部を斜めに削って接当体案内斜面１１５ｄを形成している。
【００４５】
従って、植付クラッチ１１２の伝動を入りにする場合に、操作ピン１１６ａを操作カム１１５から離れる方向に移動させて、操作ピン１１６ａが接当面１１５ｂの円弧状の凸部１１５ｃの接当体案内斜面１１５ｄに移動した時に、操作ピン１１６ａが接当体案内斜面１１５ｄを滑るように移動して従動側爪体１１４が植付クラッチスプリング１１７により付勢されて従動側爪体１１４が駆動側爪体１１３に強制的に噛み合うように作用し、植付クラッチ１１２は適確に且つ迅速に伝動入りの状態となる。よって、操作ピン１１６ａが接当面１１５ｂから離れて昇降リンク機構２９による植付具２８の下降するタイミングと植付クラッチ１１２の伝動入りによる駆動タイミングとが殆ど同じになり、適正に植付具２８は昇降リンク機構２９にて駆動作動される。
【００４６】
また、従動側爪体１１４が駆動側爪体１１３に噛み合って植付クラッチ１１２が伝動入りになった状態では、操作ピン１１６ａは凸部１１５ｃの従動側爪体１１４と反対の側面１１５ｅに対向する位置にあり、操作ピン１１６ａが従動側爪体１１４の回転を阻害することはない。
【００４７】
然も、円弧状の凸部１１５ｃは、昇降リンク機構２９によって植付具２８が下降し始めて、植付具２８が畝Ｕ上面に突入して畝Ｕに苗を植付け終えるまでの間、操作ピン１１６ａと対向する位置にある。従って、植付具２８が畝Ｕ上面に突入して畝Ｕに苗を植付ける時の植付け負荷によって揺動カム駆動軸６２に駆動負荷が掛かっても、操作ピン１１６ａが円弧状の凸部１１５ｃの側面１１５ｅに対向する位置にある為に、操作ピン１１６ａが円弧状の凸部１１５ｃの側面１１５ｅに接当して、従動側爪体１１４が駆動側爪体１１３から離れることを阻止し、植付クラッチ１１２の伝動が切れることが防止でき、適切な苗の移植作業が行える。
【００４８】
尚、植付クラッチ操作機構１１６は、揺動カム駆動軸６２の後方で揺動カム駆動軸６２よりも後側に配置されている。そして、操縦ハンドル１６の左右中間位置に機体後方に向けて設けられた植付けクラッチレバー１５０を作業者が植付けクラッチ切り方向に操作すると、植付クラッチ操作機構１１６の操作ピン１１６ａが操作カム１１５側（前側）に突出して操作ピン１１６ａが操作カム１１５に接触することにより上記のように植付クラッチ１１２の伝動を断つ。逆に、植付けクラッチレバー１５０を作業者が植付けクラッチ入り方向に操作すると、植付クラッチ操作機構１１６の操作ピン１１６ａが操作カム１１５とは反対側（後側）に戻って操作カム１１５から離れ、植付クラッチスプリング１１７により駆動側爪体１１３と従動側爪体１１４が噛み合って植付クラッチ１１２が伝動状態となる。
【００４９】
揺動カム駆動軸６２の左右一方側（左側）の端部は、植付伝動ケース２６から突出しており、植付伝動ケース２６の左右一方側（左側）の側面に固着された植付装置駆動ケース２７内を貫通し、更に植付装置駆動ケース２７の左右一方側（左側）の側面から突出している。植付装置駆動ケース２７内において、揺動カム駆動軸６２と一体回転する第三駆動スプロケット１１８を設け、第三駆動スプロケット１１８からチェーンである第三無端体１１９を介して第三従動スプロケット１２０へ伝動し、第三従動スプロケット１２０と後述するクランクアーム駆動軸６１が一体回転する。なお、クランクアーム駆動軸６１は、揺動カム駆動軸６２と同じ高さで揺動カム駆動軸６２の後方に配置されている。また、第三無端体１１９の上方には、第三無端体１１９に接触して第三無端体１１９に張力を与える板ばね１２０を設けている。
【００５０】
一方、揺動カム駆動軸６２の左右他方側（右側）の端部には、供給部伝動用の一対のベベルギヤ１２１ａ・１２１ｂを設けており、供給部伝動用の一対のベベルギヤ１２１ａ・１２１ｂを介して植付伝動ケース２６の後側に突出する供給部用動力取出軸１２２へ伝動する構成となっている。供給部用動力取出軸１２２からの伝動により、供給部３１が駆動回転する構成である。
【００５１】
植付伝動ケース２６内の伝動軸の配置構成について説明すると、第一軸９５よりも第二軸１００を後側且つ上側に配置し、第二軸１００の後方（第二軸１００と略同じ高さの位置）に第三軸１０３を配置し、第三軸１０３の上方（第三軸１０３と略同じ前後位置）に第四軸（揺動カム駆動軸）６２を配置している。そして、植付伝動ケース２６は、第二軸１００と第四軸６２の間で第三軸１０３の斜め前上側で且つ植付伝動ケース２６の前側上面に凹部１２３を形成している。
【００５２】
そして、原動機１１及び主伝動ケース１２の上方を覆う機体カバー１２４を設けており、該機体カバー１２４の後部１２４ａを植付伝動ケース２６の凹部１２３に突入させて配置している。機体カバー１２４には、植付伝動ケース２６の左右一方側（左側）で植付伝動ケース２６の凹部１２３よりも後側に延ばした延長部１２４ｂを形成し、該延長部１２４ｂを昇降リンク機構２９の前部（後述する前揺動アーム５０及び後揺動アーム５１）の上方に配置している。
【００５３】
植付装置１９は、上部に形成した開口から苗を受けるとともに左右に開閉可能な先端が尖ったカップ状の植付具２８と、該植付具２８を昇降駆動する昇降リンク機構２９で構成される。尚、昇降リンク機構２９は、植付装置駆動ケース２７に取り付けられている。
【００５４】
リンク機構である昇降リンク機構２９は、植付装置駆動ケース２７に上端が揺動カム駆動軸６２と上後軸６０にそれぞれ回動自在に連結され、下端がそれぞれ下前軸６３と下後軸６５にて回動自在に連結支持板６８にて連結されて前後に平行に設けられた前揺動アーム５０と後揺動アーム５１を備える。また、連結支持板６８の上軸６４と下後軸６５に前端がそれぞれ回動自在に連結され、後端がそれぞれ植付具２８の支持板７２に設けた回動上軸７３と回動下軸７４に回動自在に連結された平行な上アーム５２および下アーム５３を備える。
【００５５】
植付装置駆動ケース２７の左右一方側（左側）の側面から突出するクランクアーム駆動軸６１に基部が固着されて回転するクランクアーム５５と、クランクアーム５５の先端に設けた第一の連結軸６６に回動自在に一端が枢支され、他端が下アーム５３の前後途中部分に設けた第二の連結軸６７に回動自在に連結された連結アーム５６を備える。
【００５６】
また、揺動カム駆動軸６２に固定されて回転する揺動駆動カム５４を備え、揺動駆動カム５４の周縁部に当接するように、後揺動アーム５１の上後軸６０寄りの途中部分に回動自在に回動ローラ５７が設けられている。
【００５７】
また、植付装置駆動ケース２７に設けられた支持ピンと後揺動アーム５１の下端部の間に設けられて、前揺動アーム５０および後揺動アーム５１を前側へ向けて付勢し、揺動駆動カム５４と回動ローラ５７を当接させる引張バネを備えている。
【００５８】
なお、植付具２８の下部は、嘴状の左側部材７０Ｌと右側部材７０Ｒから構成されており、左側部材７０Ｌと右側部材７０Ｒは閉じた状態で内部に苗を保持して、植付けの軌跡１７の最下端で左右に開いて畝内で苗を植付ける一般的な構成である。
【００５９】
次に、上記昇降リンク機構２９の作動によって、植付具２８の下端が植付けの軌跡１７（静軌跡：機体を停止した状態の軌跡）を描いて植付具２８が苗を畝Ｕに移植する作用を説明する。
【００６０】
揺動カム駆動軸６２がＢ方向に回転することにより、揺動カム駆動軸６２に固定されている揺動駆動カム５４はＢ方向に回転し、揺動駆動カム５４に当接する回動ローラ５７を介して前揺動アーム５０および後揺動アーム５１が前後に揺動する。
【００６１】
一方、クランクアーム駆動軸６１が回転することにより、クランクアーム駆動軸６１に固定されているクランクアーム５５がＣ方向に回動し、連結アーム５６を介して下アーム５３および上アーム５２が上下に揺動する。
【００６２】
したがって、前揺動アーム５０および後揺動アーム５１と、上アーム５２および下アーム５３は、いずれも平行リンク機構であるから、植付具２８は垂直方向を向いた姿勢を維持してその下端が植付け軌跡１７を描いて作動し、植付具２８内に受け入れられた苗を適正な姿勢で畝に植付けることができる。
【００６３】
苗が植付具２８に供給される位置、すなわち植付具２８が作動する軌跡１７の上死点付近にある場合の、揺動駆動カム５４が回動ローラ５７と当接している位置における揺動駆動カム５４の径の変化は小さくなるように、また、苗を植え付ける位置、すなわち植付具２８が下死点付近にある場合の、揺動駆動カム５４が回動ローラ５７と当接している位置における揺動駆動カム５４の径の変化は大きくなるように、揺動駆動カム５４の形状および揺動駆動カム５４が揺動カム駆動軸６２に固定される向きが設定されている。
【００６４】
揺動駆動カム５４の形状および揺動カム駆動軸６２に固定される向きをこのように構成することにより、植付具２８の先端の移動速度を、苗を植え付けるときよりも、苗を供給するときを極めて遅くすることができる。
【００６５】
また、上死点および下死点では、クランクアーム５５と連結アーム５６が、鉛直方向で直線状に重なる位置となり、かつ、前揺動アーム５０および後揺動アーム５１と平行になる構成としている。従って、苗が植付具２８に供給されるとき、すなわち植付具２８が上死点付近にあるときと、苗を植え付ける位置、すなわち植付具２８が下死点付近にあるときの、クランクアーム５５の回転による連結アーム５６の上下方向の位置の変化は小さくなるように、クランクアーム５５の向きが設定されている。この構成により、植え付け動作時に、植付具２８の先端によって、ループ状の軌跡１７を描かせるように動作させ、上死点付近（苗が供給される位置）における植付具２８の移動速度が、下死点（苗が植え付けられる位置）における移動速度よりも遅くなるようにしている。
【００６６】
さらに、植付具２８の先端によって描かれる軌跡１７が、植え付けるときの前後の幅が最大となるように、すなわち植付具２８の上下動する幅の中心よりも下部で前後の幅が最大となるようにしている。
【００６７】
また、植付装置１９の上アーム５２及び下アーム５３からなる平行状のリンク機構を、１つのクランクアーム５５により動作させている。一軸のクランクアーム５５で駆動するため、伝動系のガタによる植付不具合を抑制することができる。
【００６８】
また、上記昇降リンク機構２９を、揺動駆動カム５４によって前後移動させている。揺動駆動カム５４を用いる構成なので、植付具２８の先端が描く軌跡１７の前後幅を自由に設定することができる。
【００６９】
また、揺動駆動カム５４を、前揺動アーム５０の支点である揺動カム駆動軸６２を中心に回転させる構成としているので、簡単な構成となり、植付装置１９の小型化を図ることができる。
【００７０】
また、揺動駆動カム５４に当接する回動ローラ５７を、後揺動アーム５１の長手方向の中央位置よりも上後軸６０に近い位置、すなわち前揺動アーム５０の支点である揺動カム駆動軸６２に近い位置に配置しているので、揺動駆動カム５４の支点との距離を短くでき、揺動駆動カム５４を小さくできる。揺動駆動カム５４を小さくできるので、植付装置１９の小型化を図ることができる。
【００７１】
また、植付具２８の先端が描く静軌跡となる軌跡１７は、下死点付近で円形状となっているので、移植機１０の走行を加味した動軌跡は、下死点付近では直線的に上下する軌跡となり、苗等の移植対象物をきれいに植え付けることができる。さらに、植付具２８の先端が描く軌跡１７を、植え付け深さの範囲で円形状となるように調整するのが望ましい。植付具２８が土中に突入する範囲で円形状の静軌跡とすることにより、植穴を小さくすることができる。
【００７２】
また、植付具２８の先端が描く軌跡１７を、植え付け深さよりも上方では前後幅が小さくなる形状としたことにより、植付具２８が上昇するときの前側への移動量を大きくでき、植付具２８の先端が、植え付けた苗等を引っ掛けないようにできる。
【００７３】
また、引張バネにより後揺動アーム５１へ斜め前上方への引き上げ力を与えているため、植付具２８が植付位置へ向けて下降するときに、植付具２８の自重により植付具２８が急激に降下して軌跡１７上での植付具２８の作動速度が不適正となるのを防止できる。また、引張バネによる前記引き上げ力は、植付具２８の自重に抗して下死点から植付具２８が上昇するのをアシストするので、植付具２８を安定して動作させることができる。
【００７４】
また、クランクアーム５５を、前側で上側へ移動し後側で下側へ移動するＣ方向へ回動させることにより、植付具２８が作動するループ状の軌跡１７に対してクランクアーム５５が逆方向に回転することになるので、軌跡１７の上死点付近における植付具２８の移動速度を遅くさせ易く構成できる。上死点付近における植付具２８の移動速度を遅くすることで、より確実に苗を植付具２８へ供給させることができる。
【００７５】
下死点付近では、前揺動アーム５０および後揺動アーム５１が、前方から後方へ向けて動作するのに対し、クランクアーム５５の先端の第一の連結軸６６は、後方から前方へ向けて回動する。前揺動アーム５０および後揺動アーム５１と、クランクアーム５５が対向して動作するため、植付具２８の上下動の速度が速くなる構成にでき、植え付けの株間が変化しても機体の走行を加味した土中における植付具２８先端の動軌跡の変化は小さい。
【００７６】
また、下死点付近において、クランクアーム５５と連結アーム５６が鉛直方向又は鉛直方向に近い方向で一直線上になるので、クランクアーム５５による上下動と連結アーム５６の傾きによる上下動が一致するため、植付具２８の上昇速度を速くできる。
【００７７】
さらに、下死点付近において、前揺動アーム５０および後揺動アーム５１が、クランクアーム５５および連結アーム５６と平行になるようにすることで、前揺動アーム５０および後揺動アーム５１の上下動が少なくなり、クランクアーム５５および連結アーム５６による上下動により、植付具２８をより速く上昇させることができる。
【００７８】
次に、植付具２８を開閉するための開閉機構とその動作について説明する。
植付具２８の開閉動作のためのカウンターアーム７９を、上アーム５２の一端（後端）に設けた回動上軸７３に、回動自在に設けている。また、上アーム５２の他端（前端）に設けた上軸６４に、開閉アーム７６を回動自在に設けており、開閉アーム７６とカウンターアーム７９を連結ロッド７８により連結している。また、カウンターアーム７９には、ピン８０を設けている。尚、ターンバックル等の調節ねじにより、連結ロッド７８のロッド長を調節できる構成としてもよい。また、揺動駆動カム５４とともに揺動カム駆動軸６２に固定されて回転する開閉駆動カム７５を設けており、開閉駆動カム７５の周縁部に接触する開閉用ローラ７７を、開閉アーム７６に回動自在に設けている。揺動カム駆動軸６２の回転に伴って開閉駆動カム７５が回転することにより、開閉用ローラ７７を介して開閉アーム７６を作動させる。
【００７９】
植付具２８の開閉動作については、カウンターアーム７９が連結ロッド７８を介して開閉アーム７６と並行して動作し、開閉アーム７６は、開閉用ローラ７７を介して開閉駆動カム７５によって動作する。よって、簡易な形状の開閉駆動カム７５によって開閉タイミングと開閉量を高精度で設定できる。
【００８０】
植付具２８に備えるホルダ７１を、左ホルダ７１Ｌおよび右ホルダ７１Ｒで構成し、左ホルダ７１Ｌを左側部材７０Ｌに一体で固着し、右ホルダ７１Ｒを右側部材７０Ｒに一体で固着している。左ホルダ７１Ｌは前後方向の左支点軸１２５回りに回動し、右ホルダ７１Ｒは前後方向の右支点軸１２６回りに回動する構成であり、植付具２８の左右方向中央位置に設けた連動用軸１２７により、左ホルダ７１Ｌと右ホルダ７１Ｒを連結している。また、左ホルダ７１Ｌと一体で設けた回動操作アーム１２８に、上下方向に延びる開閉ロッド１３１を連結し、カウンターアーム７９のピン８０を開閉ロッド１３１に連結している。尚、左ホルダ７１Ｌと右ホルダ７１Ｒの間には開閉用スプリング１３０を設けており、該開閉用スプリング１３０のスプリング力により、左側部材７０Ｌと右側部材７０Ｒが互いに左右方向内側に押圧され、植付具２８の下部が閉じる構成となっている。また、開閉用スプリング１３０のスプリング力により、開閉用ローラ７７ひいては開閉アーム７６が開閉駆動カム７５側（上側）に押し付けられる。
【００８１】
揺動カム駆動軸６２の回転と共に開閉駆動カム７５が回転すると、開閉用ローラ７７が開閉駆動カム７５の周縁形状にしたがって移動し、開閉アーム７６が揺動する。開閉アーム７６の揺動に伴って、連結ロッド７８が前後方向に作動し、カウンターアーム７９が回動し、開閉ロッド１３１が上下方向に作動し、回動操作アーム１２８を介して左ホルダ７１Ｌを回動するとともに連動用軸１２７を介して右ホルダ７１Ｒを回動し、左ホルダ７１Ｌと右ホルダ７１Ｒを背反的に互いに左右対称位置へ回動させて植付具２８の下部を開閉する。具体的には、連結ロッド７８の前側への作動に伴って、開閉ロッド１３１を上側へ作動し、植付具２８の下部を開く。なお、植付具２８の上昇時、開閉駆動カム７５の外周の局所的な突起部により、植付具２８の下部を一時的に大きく開いて、別途設けた清掃用のスクレーパが植付具２８内を上下方向に通過できる構成としている。
【００８２】
これにより、軌跡１７の上死点付近から下降する行程では、植付具２８の下部が閉じた状態となり、下死点で植付具２８の下部が開き、下死点から上昇する行程では植付具２８の下部が開いた状態となる。
【００８３】
なお、開閉駆動カム７５を、クランクアーム５５を駆動するクランクアーム駆動軸６９に固定し、クランクアーム５５と一体に回転する構成としてもよい。
また、本実施の形態では、上アーム５２の連結支点軸である上軸６４に開閉アーム７６を取り付けているので、簡単な構成となっている。なお、連結ロッド７８が、昇降リンク機構２９の昇降位置に拘らず、上アーム５２および下アーム５３と平行であるので、開閉駆動カム７５により植付具２８の開き量を高精度で設定できる。また、開閉アーム７６およびカウンターアーム７９を何れも上アーム５２の回動支点軸に連結した構成としているので、連結ロッド７８が上アーム５２に沿って配置され、コンパクトな構成となっている。また、開閉駆動カム７５を、揺動駆動カム５４とともに前揺動アーム５０の回動支点軸である揺動カム駆動軸６２に取り付けているので、簡単な構造となっている。
【００８４】
植付具２８の上下方向の上下動速度と前後方向の前後動速度を合成した絶対速度は、下死点では速いのに対し、上死点では非常に遅くなる。つまり、植付具２８は、下死点付近では、比較的早く移動しているのに対し、上死点では、ゆっくりと移動しており停止に近い状態になっている。つまり、供給カップ３３から苗が供給される上死点付近では、植付具２８の速度が非常に遅くなっているので、供給カップ３３から確実に苗を供給させることができる。なお、上死点付近では、前後方向の前後動速度が１０ｍｍ／ｓ以下になる時間が０．２１秒あり、供給カップ３３から確実に苗を供給できる時間であることを確認できた。これにより、従来のような間欠植付機構が不要にできる。
【００８５】
また、機体の走行を加味した動軌跡は、株間５０ｃｍで、土壌面を想定した下死点から７５ｍｍ上方での前後幅は４．９ｍｍであり、また、株間４０ｃｍおよび６０ｃｍでは、１９．１ｍｍおよび２０．２ｍｍであり、実際の植付けにおいて植付穴があまり大きくならずに問題なく植え付け可能であることを確認できた。
【００８６】
よって、植付具２８の上死点での移動速度を小さく（停止時間を大きく）できるので、従来のような上死点で植付具２８への伝動を停止して該植付具２８を間欠的に作動させる間欠植付機構を設けなくても、植付具２８への伝動比を変更するだけで種々の株間で適正な動軌跡により植え付けることができる。
【００８７】
以上により、この移植機１０は、原動機１１から主伝動ケース１２を介して走行推進体へ伝動するとともに、該主伝動ケース１２から植付伝動ケース２６を介して植付装置１９へ伝動する構成とし、該植付伝動ケース２６を、該主伝動ケース１２の後側に配置すると共に、前側上面に凹部１２３を形成して構成し、該原動機１１及び該主伝動ケース１２の上方を覆う機体カバー１２４の後部１２４ａを、該凹部１２３に突入させている。
【００８８】
よって、機体カバー１２４の後部１２４ａを植付伝動ケース２６の凹部１２３に突入させて後寄りに位置させることができるため、機体の前後長を短縮して機体をコンパクトに構成できると共に、機体カバー１２４により植付伝動ケース２６の前下部を含めて機体の構造物を有効に覆うことができ、降雨等から機体の構造物を的確に遮ることができて、機体の耐久性が向上する。
【００８９】
また、植付装置１９を、植付具２８と、該植付具２８を昇降させる昇降リンク機構２９で構成し、昇降リンク機構２９を植付伝動ケース２６の左右一方側に配置し、機体カバー１２４には、植付伝動ケース２６の前記左右一方側で植付伝動ケース２６の凹部１２３よりも後側に延ばした延長部１２４ｂを形成し、該延長部１２４ｂを昇降リンク機構２９の上方に配置している。
【００９０】
よって、機体カバー１２４の延長部により、昇降リンク機構２９を含めて機体の構造物を有効に覆うことができ、降雨等から昇降リンク機構２９を含む機体の構造物を的確に遮ることができて、機体の耐久性が向上する。また、作動する昇降リンク機構２９に作業者が触れることを防止でき、安全性が向上する。
【００９１】
また、植付伝動ケース２６内には、左右方向の第一軸９５と、該第一軸９５から伝動される左右方向の第二軸１００と、該第二軸１００から伝動される左右方向の第三軸１０３と、該第三軸１０３から伝動される左右方向の第四軸６２を設け、第一軸９５よりも第二軸１００を後側且つ上側に配置し、第二軸１００の後方に第三軸１０３を配置し、第三軸１０３の上方に第四軸６２を配置し、第二軸１００と第四軸６２の間で第三軸１０３の斜め前上側に、凹部１２３を形成している。
【００９２】
よって、植付装置１９への伝動に適させるべく高位に第四軸６２を配置しながら、植付伝動ケース２６の前下部を機体カバー１２４の直下に位置させることができて、植付伝動ケース２６の凹部１２３を機体カバー１２４の位置に合わせて合理的に形成でき、機体カバー１２４により植付伝動ケース２６の前下部を含めて機体の構造物を有効に覆うことができる。
【００９３】
また、第一軸９５から第一の無端体９８を介して第二軸１００へ伝動し、第二軸１００から互いに噛み合う駆動側ギヤ１０１及び従動側ギヤ１０２を介して第三軸１０３へ伝動し、第三軸１０３から第二の無端体１１０を介して第四軸６２へ伝動する構成とし、歯数を異ならせて駆動側ギヤ１０１を複数設け、複数の駆動側ギヤ１０１のうち伝動する駆動側ギヤ１０１を選択する選択機構を、第三軸１０３から後側に配置し、植付装置１９への伝動を入切する植付クラッチ１１２を第四軸６２上に設け、植付クラッチ１１２を操作する植付クラッチ操作機構１１６を、第四軸６２から後側に配置している。
【００９４】
よって、選択機構１０５を、第三軸１０３から後側に配置するとともに、植付クラッチ操作機構１１６を第四軸６２から後側に配置したので、選択機構１０５及び植付クラッチ操作機構１１６が機体カバー１２４よりも後側に離れて配置され、選択機構１０５及び植付クラッチ操作機構１１６を機体カバー１２４が邪魔にならずに配置でき、選択機構１０５及び植付クラッチ操作機構１１６のメンテナンスも容易になる。
【００９５】
また、植付装置１９へ移植対象物を一個ずつ供給する供給部３１を設け、第四軸６２の植付クラッチ１１２及び第二の無端体１１０よりも左右一方側から植付装置１９へ伝動し、第四軸６２の植付クラッチ１１２及び第二の無端体１１０よりも左右他方側から供給部３１へ伝動する構成としている。
【００９６】
よって、植付装置１９と供給部３１への伝動機構を、第四軸６２上で植付クラッチ１１２及び第二の無端体１１０の左右に振り分けて配置でき、伝動機構を合理的且つコンパクトに配置することができ、伝動機構の簡素化及び機体のコンパクト化を図ることができる。
【００９７】
また、移植対象物を植え付ける植付具２８と、所定方向に揺動する第１揺動リンクと、一端が前記第１揺動リンクに連結され、他端が前記植付具に連結し、別の所定方向に揺動する第２揺動リンクとを有するリンク機構２９と、前記第１揺動リンクを作動させる第１揺動用部材５４と、前記第２揺動リンクを作動させる第２揺動用部材５５を備え、前記第１揺動用部材５４および前記第２揺動用部材５５が、前記第１揺動リンクおよび前記第２揺動リンクを作動させることによって、前記植付具２８の先端にループ状の軌跡１７を描かせるとともに、前記植付具２８の先端の速度を、前記移植対象物を植え付ける位置におけるよりも前記移植対象物が供給される位置における方が遅くなる構成としている。
【００９８】
よって、植付具２８の先端にループ状の軌跡１７を描かせるとともに、植付具２８の先端の速度が、移植対象物を植え付ける位置におけるよりも移植対象物が供給される位置における方が遅くなるので、上下動を繰り返す植付具２８へ確実に移植対象物を供給させることができる。
【００９９】
また、植付具２８の先端の上下動する幅の中心位置よりも下方の位置で、軌跡１７の前後幅が最大となる構成としている。
よって、植付具２８の先端の上下動する幅の中心位置よりも下方の位置で、静軌跡１７の前後幅が最大となるので、移植機走行時の動軌跡は、直線的に上下する軌跡となり、移植対象物をきれいに植え付けることができる。
【０１００】
また、前記第１揺動リンクおよび前記第２揺動リンクは、それぞれ２本あり、前記第１揺動用部材５４は、一方の前記第１揺動リンクに作用し、前記第２揺動用部材５５は、一方の前記第２揺動リンクに作用する。
【０１０１】
これにより、第１揺動用部材５４は、一方の第１揺動リンク５０に作用するので、複数の第１揺動リンクに作用する場合に比べて、伝動系のガタによる植付不具合を抑制することができる。また、伝動構成が簡単になる。同様に、第２揺動用部材５５は、一方の第２揺動リンクに作用するので、複数の第２揺動リンクに作用する場合に比べて、伝動系のガタによる植付不具合を抑制することができる。また、伝動構成が簡単になる。
【０１０２】
また、前記第１揺動用部材５４は、前記２本の第１揺動リンクのうちの他方の前記第１揺動リンクの回動支点軸を兼用する駆動軸６２によって駆動される。
これにより、第１揺動用部材５４は、２本の第１揺動リンクのうちの他方の第１揺動リンク５１の回動支点軸を兼用する駆動軸６２によって駆動されるので、植付装置の小型化を図ることができる。
【０１０３】
また、前記駆動軸６０によって駆動される前記第１揺動用部材５４は、前記一方の第１揺動リンク５０の中央位置よりも、前記一方の第１揺動リンク５１の回動支点軸６０に近い位置に作用する。
【０１０４】
これにより、駆動軸６２によって駆動される第１揺動用部材５４は、一方の第１揺動リンク５１の中央位置よりも、一方の第１揺動リンク５１の回動支点軸６０に近い位置に作用するので、第１揺動用部材５４を小さくすることができ、植付装置の小型化を図ることができる。
【０１０５】
また、前記第１揺動用部材５４は、周縁部によって前記第１揺動リンク５１に作用する板状のカム５４であり、前記第２揺動用部材５５は、連結アーム５６を介して前記第２揺動リンク５３に連結されるクランク５５であり、植付具２８の先端が前記移植対象物が供給される位置に存在する場合の前記カム５４の径の変化は、前記植付具２８の先端が前記移植対象物を植え付ける位置に存在する場合の前記カム５４の径の変化よりも小さく、前記植付具２８の先端が、前記移植対象物が供給される位置に存在する場合および前記移植対象物を植え付ける位置に存在する場合では、前記クランク５５が鉛直または鉛直に近い向きとなる。
【０１０６】
これにより、第１揺動用部材５４を、周縁部によって第１揺動リンク５１に作用する板状のカム５４とし、植付具２８の先端が移植対象物が供給される位置に存在する場合のカム５４の径の変化を、植付具２８の先端が移植対象物を植え付ける位置に存在する場合のカム５４の径の変化よりも小さくしたので、移植対象物を植え付ける位置におけるよりも、移植対象物が供給される位置における速度を遅くすることができる。したがって、移植対象物を、より確実に植付具２８に供給させることができる。
【０１０７】
また、植付具２８の先端が前記移植対象物を植え付ける植付位置またはその近傍に存在する場合で、前記クランク５５および前記連結アーム５６は、直線状に重なり、前記クランク５５および前記第１揺動リンク５１は、互いに平行となる。
【０１０８】
これにより、植付具２８の先端が移植対象物を植え付ける位置に存在する場合では、クランク５５および連結アーム５６は、直線状に重なるので、クランク５５による上下動と、連結アーム５６の傾きによる上下動が一致し、植付具２８の動きを速くできる。また、植付具２８の先端が移植対象物を植え付ける位置に存在する場合では、クランク５５および第１揺動リンク５１が、互いに平行となるので、第１揺動リンク５１の上下動が少なくなり、クランク５５および連結アーム５６による上下動で、植付具２８をより速く移動させることができる。
【０１０９】
また、前記第１揺動リンク５１および前記第２揺動リンク５３と共に移動し、前記植付具２８を開閉する開閉用部材７６と、前記第１揺動用部材５４または前記第２揺動用部材５５と一体で駆動され、前記開閉用部材７６を作動させる開閉用カム７５とを備えている。
【０１１０】
これにより、第１揺動用部材５４または第２揺動用部材５５と一体で駆動され、開閉用部材７６を作動させる開閉用カム７５を備える構成としたので、植付具２８を簡単な構成で実現できる。
【０１１１】
なお、本実施の形態では、前揺動アーム５０および後揺動アーム５１をカム（揺動駆動カム５４）によって作動させ、上アーム５２および下アーム５３をクランク（クランクアーム５５）によって作動させることとしたが、主に上下に揺動する上アームおよび下アームをカムによって作動させ、主に前後に揺動する前揺動アームおよび後揺動アームをクランクによって作動させる構成としてもよい。
【０１１２】
次に、機体を畝Ｕに沿って走行させる畝案内機構１６０について説明する。
左右前輪１３及び左右後輪１４が跨いで走行する畝Ｕに前記植付具２８にて苗を植付けて苗移植作業を行うが、畝案内機構１６０は機体の前部に設けられ、該畝Ｕの左右面に各々左右ガイドローラ１６１が接当して、機体が畝Ｕに沿って走行するように案内する。
【０１１３】
左右ガイドローラ１６１は、エンジン載置台９１の左右両側に各々設けられているが、左右ガイドローラ１６１は同様の構成であるから、以下に、代表して左ガイドローラ１６１について説明する。
【０１１４】
エンジン載置台９１の側面には、ガイドローラ支持ピン１６２の基部が溶接にて固定されている。そして、該ガイドローラ支持ピン１６２は、その先端が外側ほど下方に位置するように下がり傾斜姿勢となるように設けられている。
【０１１５】
ガイドローラ支持ピン１６２には、ガイドローラ支持アーム１６３の基部に設けた円筒状ボス１６４を回動自在に外嵌して設け、ガイドローラ支持アーム１６３の前端部に設けた円筒状支持ボス１６５には樹脂製の円筒のローラ１６６を回転自在に設けたローラ軸１６７を上下位置調節自在に貫通してボルト１６８にて固定して設けている。
【０１１６】
また、円筒状ボス１６４に上方に向けて設けた上昇作動アーム１６９と前記油圧昇降シリンダ２３の作動にて後輪１４を昇降させる上側ア−ム４０ａとを連結ワイヤ１７０にて連結し、通常の植付け作業時の後輪１４の上下作動では連結ワイヤ１７０の緩みで上昇作動アーム１６９は作動せず、後輪１４を機体旋回時に最大限界まで下降させて機体を最上昇させた時に連結ワイヤ１７０の緩みが張って上昇作動アーム１６９を後方に向けて回動させて、ガイドローラ１６１を畝Ｕから離れた上方に退避させる構成としている。
【０１１７】
この時、ガイドローラ支持アーム１６３の基部に設けた円筒状ボス１６４を回動自在に支持しているガイドローラ支持ピン１６２は、その先端が外側ほど下方に位置するように下がり傾斜姿勢となるように設けられているので、左右ガイドローラ１６２は互いに離れて開く方向に上昇し、畝Ｕ面に接当することなく良好に上昇する。従って、植付けクラッチレバー１５０を植付けクラッチ切り方向に操作し、更に、左右後輪１４を最大限界まで下降させて機体を最上昇させて機体を旋回する際に、同時に、左右ガイドローラ１６２は互いに離れて開く方向で畝Ｕ面に接当することなく良好に上昇し、機体の旋回操作が容易に且つ適切に行える。
【０１１８】
また、円筒状ボス１６４の外側には波形状凹凸１６４ａが形成されており、円筒状ボス１６４の外側にガイドローラ支持ピン１６２に回動自在に外嵌して設けた固定用ボス１７１の内側に設けた波形状凹凸１７１ａに係合する構成となっている。
【０１１９】
そして、円筒状ボス１６４は、付勢バネ１７２にて固定用ボス１７１側に付勢されており、円筒状ボス１６４外側の波形状凹凸１６４ａと固定用ボス１７１内側の波形状凹凸１７１ａが係合することにより、左右ガイドローラ１６１は、畝Ｕに接当した機体進行方向案内作用位置と上方に退避した位置で固定される。
【０１２０】
尚、左右ガイドローラ１６１が他物に当たって破損することを防止する為に、前記のように円筒状ボス１６４が付勢バネ１７２にて固定用ボス１７１側に付勢されて、円筒状ボス１６４外側の波形状凹凸１６４ａと固定用ボス１７１内側の波形状凹凸１７１ａが係合する構成としている。従って、ガイドローラ１６１が他物に当たった場合には、付勢バネ１７２の付勢力に抗して各波形状凹凸１６４ａ・１７１ａの係合が外れて円筒状ボス１６４が固定用ボス１７１に対して回動し、ガイドローラ１６１は他物から遠ざかるように逃げて、破損が防止できる。
【０１２１】
そして、固定用ボス１７１には、下方に向けて操作アーム１７３を設けて、連結ワイヤ１７４にて植付けクラッチレバー１５０に連携している。即ち、植付けクラッチレバー１５０を植付けクラッチ入りに操作すると、連結ワイヤ１７４を引いて左右ガイドローラ１６１が下降して畝Ｕの左右面に各々接当し、機体が畝Ｕに沿って走行するように案内する案内作用状態となり、植付けクラッチレバー１５０を植付けクラッチ切りに操作すると、連結ワイヤ１７４が緩んで左右ガイドローラ１６１が上記機体旋回時に上昇できる状態となる。
【０１２２】
次に、図２０及び図２１に基づいて、伝動を断つときに所定の回転位相（定位置）で停止する定位置停止クラッチである植付クラッチ１１２の他の例を説明する。
この実施例に示す植付クラッチ１１２は、前例と同様に第二従動スプロケット１１１の左右他方側（右側）に配置され、駆動側爪体１１３と噛み合う従動側爪体１１４が揺動カム駆動軸６２と一体回転し且つ軸方向に左右移動する構成となっており、揺動カム駆動軸６２への伝動の入切をする。なお、駆動側爪体１１３と従動側爪体１１４には、互いに噛み合う４つの係合爪１１３ａと４つの１１４ａが各々に設けられている。
【０１２３】
即ち、従動側爪体１１４は、揺動カム駆動軸６２に軸方向に左右移動自在に装着されている。そして、従動側爪体１１４の中央部に設けた軸孔１１４’には、軸方向に貫通したキー溝１１４ｂを設け、該キー溝１１４ｂが揺動カム駆動軸６２に設けたキー６２ａに嵌合する構成となっている。従って、従動側爪体１１４は、揺動カム駆動軸６２と一体回転すると共に、揺動カム駆動軸６２上を軸方向に左右移動自在に装着された構成となっている。
【０１２４】
そして、植付クラッチ１１２の従動側爪体１１４の外周面には、従動側爪体１１４を駆動側爪体１１３から離して植付クラッチ１１２を切り、植付装置１９の植付具２８を上記の定位置で停止させるための操作カム１１５を形成している。該操作カム１１５は、後記の操作ピン１１６ａが接当して揺動カム駆動軸６２が矢印イ方向に回転することにより、従動側爪体１１４が駆動側爪体１１３から離れる方向に移動し、両者の係合を断ち植付クラッチ１１２を切る傾斜面１１５ａと、従動側爪体１１４が駆動側爪体１１３から離れて植付クラッチ１１２が切れた後に操作ピン１１６ａが接当して植付装置１９の植付具２８を上記の定位置で停止させる接当面１１５ｂとによって構成されている。
【０１２５】
そして、上記の従動側爪体１１４が駆動側爪体１１３から離れて植付クラッチ１１２が切れるタイミングは、昇降リンク機構２９によって植付具２８がその軌跡１７の最上昇位置を少し過ぎた位置に来た時にしている。従って、植付クラッチ１１２は、最上昇位置を少し過ぎた植付具２８の下動しようとする慣性力により確実に切れる。そして、植付クラッチ１１２が確実に切れた後、植付具２８の下動しようとする慣性力は、操作ピン１１６ａが接当している傾斜面１１５ａと従動側爪体１１４を付勢している下記の植付クラッチスプリング１１７の付勢力により徐々に小さくなって、操作ピン１１６ａが接当面１１５ｂに接当して植付具２８を定位置で適正に停止させる。
【０１２６】
この実施例で前記実施例と異なる点は、従動側爪体１１４には、係合爪１１４ａが設けられた側と左右反対側に回転固定用の係合凸爪１１４ｃを設け、植付伝動ケース２６に該係合凸爪１１４ｃと係合して従動側爪体１１４を所定位置で停止させる固定側係合凸爪２６ａを設けた構成としていることである。
【０１２７】
即ち、上記操作ピン１１６ａが接当面１１５ｂに接当して植付具２８を定位置で停止させる時に、従動側爪体１１４が矢印ロ方向に移動してその係合凸爪１１４ｃが固定側の植付伝動ケース２６の固定側係合凸爪２６ａに係合する構成としており、植付具２８は設定位置で確実に且つ適正に停止する。
【０１２８】
そして、植付けクラッチレバー１５０を植付けクラッチ切り方向に操作すると、植付クラッチ操作機構１１６の操作ピン１１６ａが操作カム１１５側（前側）に突出して操作ピン１１６ａが操作カム１１５に接触することにより上記のように植付クラッチ１１２の伝動を断つ。逆に、植付けクラッチレバー１５０を植付けクラッチ入り方向に操作すると、植付クラッチ操作機構１１６の操作ピン１１６ａが操作カム１１５とは反対側（後側）に戻って操作カム１１５から離れ、植付クラッチスプリング１１７により駆動側爪体１１３と従動側爪体１１４が噛み合って植付クラッチ１１２が伝動状態となる。
【０１２９】
また、従動側爪体１１４の係合爪１１４ａは、高く突出した高係合爪１１４ａ−１と低く突出した低係合爪１１４ａ−２の二段に形成されている。その為に、植付けクラッチレバー１５０を植付けクラッチ入り方向に操作すると、植付クラッチ操作機構１１６の操作ピン１１６ａが操作カム１１５とは反対側（後側）に戻って操作カム１１５から離れ、植付クラッチスプリング１１７に付勢されて従動側爪体１１４が駆動側爪体１１３側（矢印ハ方向）に移動するが、駆動側爪体１１３の係合爪１１３ａ間に従動側爪体１１４の高く突出した高係合爪１１４ａ−１が嵌り込むまでは、従動側爪体１１４の係合凸爪１１４ｃが固定側の植付伝動ケース２６の固定側係合凸爪２６ａに係合した状態を維持し植付具２８は設定位置で停止した状態で維持される。従って、植付けクラッチレバー１５０を植付けクラッチ入り方向に操作した時、植付クラッチ１１２が伝動状態になる前に植付具２８が自重にて作動してしまうような事態を回避できる。そして、駆動側爪体１１３の係合爪１１３ａ間に従動側爪体１１４の高く突出した高係合爪１１４ａ−１が嵌り込むと、従動側爪体１１４の係合凸爪１１４ｃと固定側の植付伝動ケース２６の固定側係合凸爪２６ａとの係合が外れて植付具２８は可動状態となり、引き続き、駆動側爪体１１３の係合爪１１３ａ間に従動側爪体１１４の低く突出した低係合爪１１４ａ−２も嵌り込むと、駆動側爪体１１３の係合爪１１３ａと従動側爪体１１４の係合爪１１４ａが確実に噛み合って植付クラッチ１１２が伝動状態となる。
【０１３０】
従って、駆動側爪体１１３の係合爪１１３ａ間に従動側爪体１１４の高く突出した高係合爪１１４ａ−１が嵌り込むと、従動側爪体１１４の係合凸爪１１４ｃと固定側の植付伝動ケース２６の固定側係合凸爪２６ａとの係合が外れて植付具２８は可動状態となり、その後、駆動側爪体１１３の係合爪１１３ａ間に従動側爪体１１４の低く突出した低係合爪１１４ａ−２も嵌り込むと、駆動側爪体１１３の係合爪１１３ａと従動側爪体１１４の係合爪１１４ａが確実に噛み合って植付クラッチ１１２が伝動状態となるので、従動側爪体１１４の係合凸爪１１４ｃと固定側の植付伝動ケース２６の固定側係合凸爪２６ａとが係合して固定状態で駆動側爪体１１３の係合爪１１３ａと従動側爪体１１４の係合爪１１４ａが噛み合って植付クラッチ１１２が伝動状態となることが防止できて、伝動機構が破損することを防止できる。
【０１３１】
次に、株間変速装置の変速操作装置の他の例を説明する。
前記の例では、切替操作グリップ１０８を左右に操作することにより、選択機構１０５が左右に移動して連係部１０６の左右位置が切り替えられて従動側ギヤ１０２を第三軸１０３上で左右にスライドさせることにより、従動側ギヤ１０２が３個の駆動側ギヤ１０１ａ・１０１ｂ・１０１ｃのうちの何れかと噛み合うように切り替えて株間変速操作を行う例を示したが、図２２に示す例では、株間変速操作と主伝動ケース１２の走行速と作業速を切り替える副変速操作が１つの操作レバー１８０で行えるようにしている。
【０１３２】
即ち、操縦ハンドル１６近くに設けた操作グリップ１８０ａを後部に設け、前端部を主伝動ケース１２の右側壁にボルトにて固定して設けたＬ字型支持片１８１の先端部に設けた貫通孔１８１ａに貫通して回動自在に支持している。尚、該貫通孔１８１ａは、操作レバー１８０が左右方向操作できるように操作レバー１８０前端の直径よりも少し大きくしている。
【０１３３】
そして、操作レバー１８０の前部でＬ字型支持片１８１の直ぐ後方位置には上方に向けて延設した副変速操作アーム１８２の基部を溶接固着し、該副変速操作アーム１８２の上端部を主伝動ケース１２の右側壁から突出して設けた副変速操作レバー１８３に連結している。従って、操縦ハンドル１６の近くに居る作業者が操作レバー１８０の操作グリップ１８０ａを握って回動操作すると、副変速操作アーム１８２の上部が矢印ニ−ホ方向に操作され、それに連携して副変速操作レバー１８３が押し引き操作され、操作レバー１８０の操作グリップ１８０ａを水平にした時に副変速は走行速（高速）に変速され、操作レバー１８０の操作グリップ１８０ａを上向きで垂直にした時に副変速は作業速（低速）に変速される構成としている。
【０１３４】
また、操作レバー１８０の中途部には植付伝動ケース２６側に向けて延設した株間変速アーム１８４の基部を溶接固着して設け、該株間変速アーム１８４の先端部に設けた円弧状長孔１８４ａに上記連係部１０６を左右移動させるシフトロッド１８５を連結している。
【０１３５】
尚、円弧状長孔１８４ａは、操作レバー１８０の軸心を中心とした円弧となっており、該円弧状長孔１８４ａにシフトロッド１８５に固定のピン１８５ａが挿通した構成となっている。従って、走行速と作業速を切り替える副変速操作を行うべく、操作レバー１８０の操作グリップ１８０ａを握って回動操作しても、シフトロッド１８５は左右移動せず株間変速はされない。
【０１３６】
株間変速を行う場合には、操作レバー１８０の操作グリップ１８０ａを握って操作レバー１８０を左右方向操作すると、シフトロッド１８５が左右移動して株間変速される。また、操作レバー１８０の上方位置で操作グリップ１８０ａの前方位置には、株間変速操作位置が分るように株間変速操作位置表示ラベル１８６が植付伝動ケース２６の側壁に固定して設けられており、該株間変速操作位置表示ラベル１８６は機体後方の操縦ハンドル１６側から見えるように配置され、且つ、副変速を作業速（低速）に操作した時に変速操作レバー１８０の操作グリップ１８０ａは上向き垂直状になっているので、作業者は株間変速操作位置表示ラベル１８６に対する操作グリップ１８０ａの位置で容易に株間変速操作位置が認識できて操作性が良い。
【０１３７】
尚、機体前端部下方位置に畝Ｕの上面に接当して畝Ｕ上面を検出する前部センサーを設け、移植作業時に機体が畝Ｕの終端位置に来て該前部センサーが畝Ｕ上面を検出しなくなると、機体前部は畝Ｕの終端位置に到達したと判断して、前記油圧切替バルブ部２４に備えられた昇降制御用切替バルブを中立位置で固定し、植付け深さ制御用センサーＳの畝Ｕ検出に係わらず機体の昇降制御を停止して、機体の高さを保持する構成とすれば、畝Ｕ終端位置まで植付装置１９の植付具２８にて苗を畝Ｕに植付けることができる。また、機体旋回時や路上走行時に機体を上昇させた時（操作レバーで左右後輪１４を最下降させて機体を上昇させる操作に連携して）、または、走行変速装置を変速レバーで路上走行速やバック走行に変速操作した時、前部センサーを機体上方に収納する構成とすれば、前部センサーが他物に接当することが回避できて作業性が良い。
【産業上の利用可能性】
【０１３８】
本発明にかかる移植機は、タバコの苗の他に各種野菜苗やジャガイモ等の種芋やラッキョウ等の球根類等の色々な移植対象物を植え付ける移植機に適用でき、産業上の利用可能性が高い。
【符号の説明】
【０１３９】
１１  原動機
１４  走行推進体（後輪）
１７  植付具２８の作動軌跡
１９  植付装置
２６  植付伝動ケース
２８  植付具
３１  供給部
６２  第四軸
９５  第一軸
９８  第一無端体
１００  第二軸
１０１ａ・１０１ｂ・１０１ｃ  駆動側ギヤ
１０２  従動側ギヤ
１０３  第三軸
１０５  選択機構
１１０  第二無端体
１１２  植付クラッチ
１１３  駆動体（駆動側爪体）
１１４  従動体（従動側爪体）
１１５ａ  傾斜面
１１５ｂ  停止用接当面
１１５ｃ  凸部
１１５ｄ  接当体案内斜面
１１６  植付クラッチ操作機構
１１６ａ  接当体（操作ピン）
１１７  バネ（植付クラッチスプリング）
【図１】
0005648585.tif 000002
【図２】
0005648585.tif 000003
【図３】
0005648585.tif 000004
【図４】
0005648585.tif 000005
【図５】
0005648585.tif 000006
【図６】
0005648585.tif 000007
【図７】
0005648585.tif 000008
【図８】
0005648585.tif 000009
【図９】
0005648585.tif 000010
【図１０】
0005648585.tif 000011
【図１１】
0005648585.tif 000012
【図１２】
0005648585.tif 000013
【図１３】
0005648585.tif 000014
【図１４】
0005648585.tif 000015
【図１５】
0005648585.tif 000016
【図１６】
0005648585.tif 000017
【図１７】
0005648585.tif 000018
【図１８】
0005648585.tif 000019
【図１９】
0005648585.tif 000020
【図２０】
0005648585.tif 000021
【図２１】
0005648585.tif 000022
【図２２】
0005648585.tif 000023